(57)【要約】【課題】段ボール箱など包装箱のフラップを開放するかたちとして、隣り合う２枚のフラップを起こし立てた状態に固定する連結具を得ること。【解決手段】本連結具は、一対の挟み枠(Ｇ)を、間隔(ｅ)をとった左と右に有して成る。尚、挟み枠(Ｇ)の間口は開いて成る、とするものである。因みに、隣り合う２枚のフラップを連結する方法として、２枚のフラップの端が寄り合って成る内角の隅を架け渡す方法を取る、とするものである。本連結具は、挟み枠(Ｇ)の枠幅(ｗ)をフラップの厚み幅(ｄ)に見合った幅に設定し、２枚のフラップの端が寄り合って成る内角の隅を架け渡したとき、枠幅(ｗ)はフラップの厚み幅(ｄ)よりも狭い幅の体勢になって、フラップをしっかり挟み捉えた状態で連結する。【選択図】  図１
2018087018.tif 000002
【特許請求の範囲】
【請求項１】
包装箱の隣り合う２枚のフラップを起こし立てた状態に連結する連結具であって、
一対の挟み枠(Ｇ)を、間隔(ｅ)をとった左と右に有して成る、
尚、挟み枠(Ｇ)の間口は開いて成る、ことを特徴とする連結具。
【請求項２】
包装箱の隣り合う２枚のフラップを起こし立てた状態に連結する連結具の連結方法であって、
起こし立てた２枚のフラップの端が寄り合って成す「内角の隅を架け渡す」連結方法。
【発明の詳細な説明】
【技術分野】
【０００１】
段ボール箱など包装箱の、隣り合う２枚のフラップ（内蓋と外蓋）を起こし立てた状態に連結する連結具である。
【背景技術】
【０００２】
従来、特許文献１、２等のものがあるが、これらのものはフラップを箱本体の外側に折りたたんで、箱本体に挟み付けるものであって、隣り合う２枚のフラップを起し立てた状態に連結することはできない。
【先行技術文献】
【特許文献】
【０００３】
【特許文献１】実開平６−７１４２０
【特許文献２】特開２００６−２１３３５４
【発明の概要】
【発明が解決しようとする課題】
【０００４】
段ボール箱など包装箱の、隣り合う２枚のフラップを起こし立てた状態に連結する連結具を得ること、即ち、包装箱のフラップを開放するかたちとして、隣り合う２枚のフラップ（内蓋と外蓋）を起こし立てた状態に固定する連結具を得ることである。
【課題を解決するための手段】
【０００５】
本連結具は、一対の挟み枠(Ｇ)を、間隔(ｅ)をとった左と右に有して成る。尚、挟み枠(Ｇ)の間口は開いて成る、とするものである。
【０００６】
因みに、隣り合う２枚のフラップを連結する方法として、起こし立てた２枚のフラップの端が寄り合って成る「内角の隅を架け渡す方法」を取る、とするものである。
【０００７】
挟み枠(Ｇ)の枠幅(ｗ)は、フラップの厚み幅(ｄ)に見合った幅に設定する。
本連結具を、２枚のフラップの端が寄り合って成る内角の隅を架け渡したとき、即ち、２枚のフラップに斜めに挟み付けたとき、枠幅(ｗ)はフラップの厚み幅(ｄ)よりも狭い幅の体勢になって挟み付き、枠内側の部分がフラップの表面にめり込む状態になる。
めり込む状態とは、連結具がフラップから外れない状態、あるいは連結具がフラップをしっかり挟み捉えた状態を意味する。
本連結具は、斯様なかたち、あるいは斯様な方法を以って、隣り合う２枚のフラップを連結するものである。
【発明の効果】
【０００８】
使い易い。シンプルである。多くの場面での使用が考えられる。
【図面の簡単な説明】
【０００９】
【図１】本発明の連結具である。
【図２】本連結具の使用状況を示した図である。
【図３】図２の状態を説明する図である。
【図４】本発明の連結具である。
【図５】本発明の連結具である。
【図６】本発明の連結具である。
【発明を実施するための形態】
【００１０】
以下、図を通して説明する。
平面図として見たかたちで説明する。
【００１１】
図１を説明する。
図１は、線材を折り曲げて成したものである。
本連結具は、間隔(ｅ)をとった左と右に挟み枠(Ｇ)をもつ、左と右の（一対の）挟み枠(Ｇ)は、それぞれ開いた間口(Ｃ)をもつ、とするものである。
因みに、挟み枠(Ｇ)の枠幅(ｗ)は、対象とするフラップの厚み幅(ｄ)との見合いで設定する。連結部(Ａ)の連結幅(ｅ)は、任意の設定で良い。
【００１２】
図２を説明する。
図２は、図１に示した如きの連結具を以って、包装箱の隣り合う２枚のフラップ（内蓋と外蓋）を起こし立てた状態に連結した様子を示した図である。
【００１３】
図３を説明する。
図３は、図２の状態、即ち、隣り合う２枚のフラップを連結した状態を上方から見た部分図である。
挟み枠(Ａ)の枠幅(ｗ)は、フラップの厚み幅(ｄ)との見合いで設定して成したものである。
連結具が挟み付く位置、即ち、隣り合う２枚のフラップが成す内角側の隅を挟み付く位置は、連結部(Ａ)の渡し幅(ｅ)で定まる。
【００１４】
図に示すように、連結具をフラップに対して斜めに取り付けたとき、即ち、２枚のフラップの端が寄り合う内角側の隅を取り付けたとき、挟み枠(Ｇ)の枠幅(ｗ)は、フラップの厚み幅(ｄ)よりも狭い幅の体勢となって挟み付くことになり、図に示すように挟み枠（○で示した線材の縦筋）の内側面はフラップの表面にめり込む状態を得て、連結具はフラップから外れないように固定され、フラップは連結具にしっかり挟み押さえられる。
図に示すように縦筋状の挟み枠(Ｇ)は、フラップ（段ボール）の縦筋と相性良く接合する。
【００１５】
具体的に、挟み枠(Ａ)の枠幅(ｗ)をどれほどにするかは、線材を使用する場合のものと、図６に示したように板材から切り出して成す場合のものとは、微妙に異なるものになる。
線材を使用する場合であっても、線材の太さ（径）によって異なり、板材から切り出して成す場合であれば、板材の厚み幅がどれほどか、あるいは枠内面がどのような形状であるかによって異なってくる。
要は、対象とする包装箱のフラップの厚み幅(ｄ)や、フラップとの相性を勘案し、挟み付けた状態に於いて、連結具が滑って外れないよう挟み押え得る枠幅(ｗ)に設定することである。因みに、線材を用いる場合は、バネが働く分も勘案することが大切である。
【００１６】
図４を説明する。
開いた間口(Ｃ)を成すかたちは、図１に示したように、挟み枠(Ｇ)を成す外側の縦筋(Ｇ2)を外側に折り曲げて成しても、図４に示すように内側の縦筋(Ｇ1)を内側に折り曲げて成しても良い。
因みに、挟み枠(Ｇ)の縦幅（奥行き幅）は、任意の設定で良い。
【００１７】
図５を説明する。
図１、４に示したものは、挟み枠(Ｇ)を成す外側部(Ｇ2)の縦幅(ｍ)が内側部(Ｇ1)の縦幅(ｋ)より短いかたちのものを示したのに対し、図５に示したものは、外側部(Ｇ2)の縦幅(ｍ)が内側部(Ｇ1)の縦幅(ｋ)より長いかたちのものを示したが、どちらの形態をとっても良い。
【００１８】
図１、４、５に示した連結具は、線材を折り曲げて成したものである。線材は、太目のものを使用すれば扱い易く、フラップにも穏当なタッチのものになる。
実施例では、２.６ミリ径の線材、ビニール皮膜した４ミリ径の線材などを使用した。因みに、線材の材質、太さ（径）は、任意の選択で良い。
裸の金属線材を使用する場合、怪我をしないよう端部のバリを取る、あるいはまるめる、あるいはまるめ折る、あるいはゴム部材を装着するなどの配慮が大切である。
【００１９】
図６は、厚さ４ミリほどのプラスチック板から切り出した実施例である。斯様に、線材に限らず、プラスチック成形などによって成すものにしても良い。
因みに、図６は図５のものを形取ったものである。形状形態、あるいはデザインは、機能を損なわない限り任意に設定して良い。
【００２０】
本発明は、全体の図を通して発明の全容を説明しているものであって、個々の図で説明する技術内容によって、請求項に記載する技術内容は限定されるものではない。
【００２１】
本発明は、主として紙質の段ボール箱を対象にしたものであるが、プラスチック製の箱などであっても良い。
本明細書では、それらのものを含めて包装箱と総称した。
【００２２】
本連結具は、使用する材料、材質など限定するものではない。必要な機能を損なわない限り全体あるいは部分について、形状、輪郭、大きさ、形態、デザインなど任意に決めて良い。
【産業上の利用可能性】
【００２３】
本連結具は、店頭用として、殊に商品が入ったまま蓋を解放して陳列する場合を念頭に開発したものであるが、使用途を限定するものではない。
【００２４】
本連結具は、厚みの薄いフラップから厚みの厚いフラップまで、用途に応じて、小型のものから大型のものまで多様なサイズと多様な形状形態を以って対応し、広く利用に供するものである。
【符号の説明】
【００２５】
Ｄ      包装箱（段ボール箱など）
Ｆ      隣り合う２枚のフラップ（内蓋と外蓋）
ｄ      フラップ（蓋）の厚み幅
Ｈ      連結具
Ａ      連結部
ｅ      渡し幅（連結部Ａの横幅）、挟み枠と挟み枠との間隔
Ｇ      挟み枠
ｗ      挟み枠の枠幅、枠幅
Ｃ      挟み枠の間口、開いた間口
ｋ      挟み枠の内側を形成する縦幅、内側部の縦幅
ｍ      挟み枠の外側を形成する縦幅、外側部の縦幅
【図１】
2018087018.tif 000003
【図２】
2018087018.tif 000004
【図３】
2018087018.tif 000005
【図４】
2018087018.tif 000006
【図５】
2018087018.tif 000007
【図６】
2018087018.tif 000008
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
包装箱の隣り合う２枚のフラップを起こし立てた状態に連結する連結具であって、
上方から見るかたちに於いて、一条に張る形態を成し、その両端に、下方に向いた挟み枠(Ｇ)をもつ、
上方から見るかたちに於いて、挟み枠(Ｇ)は、上記の一条に張る方向、即ち、連結によって引っ張り合う作用が生じる方向に対して、垂直方向に開いた間口(ｗ)を成す、ことを特徴とした連結具。
【請求項２】
上方から見るかたちに於いて、一条に張る形態を成し、その両端に、下方に向いた挟み枠(Ｇ)をもつ連結具の連結方法であって、
起こし立てた直交する２辺（２枚）のフラップの隅寄りの位置を、連結具によって三角に仕切るかたち、即ち、上記２辺のフラップを連結具によって斜めに交叉するかたちに架け渡して連結する連結方法。